(57)【要約】【課題】必要に応じて容易に釣糸に後付けできる浮きを提供する。【解決手段】この浮きは、第１外殻部１と第２外殻部２と、これら第１外殻部１及び第２外殻部２の内部に配置される釣糸掴持体３とから構成される。この釣糸掴持体３の径方向中央には長手方向に延びて貫通している貫通孔３ａが形成されると共に、この貫通孔３ａに至るスリット３ｂが長手方向に連続的に形成されている。このスリット３ｂから釣糸Ｌが貫通孔３ａ内に収納される。一方、第１外殻部１と第２外殻部２とは相互に螺合しており、その螺合程度に応じて釣糸掴持体３を締め付ける。そして、締め付けられた釣糸掴持体３が釣糸Ｌを掴むことにより、浮きが釣糸Ｌの所定の位置に固定される。【選択図】　　　図１
2004033058.tif 000002
【特許請求の範囲】
【請求項１】
魚釣りの際に釣糸に取り付ける浮きであって、
内部に長手方向に貫通する収納部を有すると共に外から前記収納部に至るスリットが長手方向に延びて形成されている外殻体と、
前記収納部内に径方向平面において回転自在に収納され、径方向中央付近を長手方向に貫通する貫通孔及び外から前記貫通孔に至るスリットが長手方向に延びて形成されており、外より圧をかけることで前記貫通孔が圧縮され得る弾性を有する釣糸掴持体と、
前記外殻体内の収納部内に於いて前記釣糸掴持体に圧をかけて圧縮する圧縮状態とその圧を解除する解放状態とを作り出す変圧手段と
を備えた浮き。
【請求項２】
前記外殻体の収納部の長手方向一端側の内周面がナット部分となっており、
前記釣糸掴持体の長手方向他端側の外周面が前記ナット部分に螺着するボルト部分となっており、
前記ナット部分はその開口より奥側ほど小径化するテーパが施されており、ボルト部分を前記ナット部分に螺着してゆくことで前記釣糸掴持体が圧縮され、これらボルト部分及びナット部分が前記変圧手段である、請求項１に記載の浮き。
【請求項３】
前記外殻部は第１外殻部と第２外殻部との２体からなり、前記第１外殻部はその収納部の長手方向一端側の内周面がナット部分となっており、前記第２外殻部は長手方向他端側の外周面が前記ナット部分に螺着するボルト部分となっており、
前記ナット部分はその開口より奥側ほど小径化するテーパが施されており、ボルト部分を前記ナット部分に螺着してゆくことで前記第２外殻部が圧縮されて前記第２外殻部を介して収納部内の釣糸掴持体が圧縮され、これらボルト部分及びナット部分が前記変圧手段である、請求項１に記載の浮き。
【請求項４】
前記外殻部の収納部の径方向断面形状は楕円型であり、前記スリットは前記楕円型の短径方向に形成されており、
前記釣糸掴持体の径方向断面形状も楕円型であり、前記スリットは前記楕円型の短径方向に形成されており、
前記釣糸掴持体を前記外殻部の収納部内で径方向平面において回転させることで前記釣糸掴持体の楕円型の長径が前記外殻部の楕円型の短径により圧縮され、これら外殻部の収納部及び釣糸掴持体の形状が前記変圧手段である、請求項１に記載の浮き。
【発明の詳細な説明】
【０００１】
【発明の属する技術分野】
本発明は魚釣りに用いる浮きに関する。詳しくは、本発明は、釣糸の先端に釣針等を連結した後においても釣糸を別段切断等することなく、釣糸に「後付け」できる浮きに関するものである。
【０００２】
【従来の技術】
魚釣りにおいては、釣り場の状況や獲物とする魚の種類に応じて様々な仕掛けが作られる。このような仕掛けを作る場合に用いられるパーツの１つとして「浮き」が用いられる。この「浮き」には多種多様な種類があり、例えば、棒浮き、玉浮き等がよく知られている。この棒浮きや玉浮きは、パイプ状のゴム管に予め釣糸を挿通させて於いた上で釣糸の先端にハリスなどを連結し、釣糸の所定の位置でゴム管に棒浮き等の一部を差し込んで釣糸に固定する。
【０００３】
このような棒浮きなどは予め釣糸にゴム管等を装着しておく必要があるため、仕掛けを予め作成した後になって、追加的に浮きを装着するような場合には、釣糸を一度切断してゴム管を釣糸に装着する等の必要が生じる。そこで、近時、このように一々釣糸を切断する必要なく、そのまま後から浮きを釣糸に取り付け得る「後付けタイプ」の浮きが提供されるようになっている。
【０００４】
この「後付けタイプ」の浮きとしては、例えば、図１５に示すようなものがある。この種の浮きは、長手方向に延びるスリットを有している本体部１０１と、本体部１０１のスリットに長手方向にスライドさせてはめ込み固定可能な蝶番部１０２とを有している。蝶番部はゴム材などからなり、蝶番を開くとその内部に長手方向に延びる釣糸配置用の溝が形成されている。
【０００５】
この種の浮きを釣糸に装着する方法は以下のようなものである。まず、図１０（ａ）に示すように、蝶番部１０２を長手方向にスライドさせて本体部１０１のスリットから取り外す。次に、図１０（ｂ）（ｃ）に示すように、蝶番部１０２の蝶番を開いてここにある釣糸配置用の溝に釣糸Ｌを配置し、再び蝶番を閉じて蝶番部１０２で釣糸Ｌを挟持する。そして、図１０（ｄ）に示すように、本体部のスリットに蝶番部１０２をスライドさせてはめ込む。このようにして、釣糸Ｌを一々切断することなく、釣糸Ｌ上の任意の位置に、浮きを「後付け」できるのである。
【０００６】
【発明が解決しようとする課題】
しかし、従来の蝶番タイプの浮きでは、一々蝶番を本体部から取り外して釣糸を配置しなければならないため、釣り場における状況に応じて迅速に浮きを釣糸に脱着し難い。特に、細かなパーツである浮きを、釣り場に於いてさらに複数のパーツに分解して釣糸を装着するような作業を行うにあっては、個々のパーツを落としてなくしてしまうようなことも考えられる。
【０００７】
本発明は、簡易な作業で釣糸に脱着可能な後付けタイプの浮きを提供することにある。
【０００８】
【課題を解決するための手段】
発明１の浮きは、魚釣りの際に釣糸に取り付ける浮きであって、内部に長手方向に貫通する収納部を有すると共に外から収納部に至るスリットが長手方向に延びて形成されている外殻体と、収納部内に径方向平面において回転自在に収納され、径方向中央付近を長手方向に貫通する貫通孔及び外からこの貫通孔に至るスリットが長手方向に延びて形成されており、外より圧をかけることで貫通孔が圧縮され得る弾性を有する釣糸掴持体とを備えている。また、この浮きは、外殻体内の収納部内に於いて釣糸掴持体に圧をかけて圧縮する圧縮状態とその圧を解除する解放状態とを作り出す変圧手段を備えている。
【０００９】
この浮きは、以下のような手順で釣糸に「後付け」される。まず、外殻体の収納部に収納されている釣糸掴持体を径方向平面に於いて回転させて、外殻部のスリットと釣糸掴持体のスリットとを合致させる。そして、このスリットに釣糸を差し込んで釣糸掴持体の貫通孔に釣糸を配置する。その後、変圧手段により釣糸掴持体に圧をかけて圧縮状態として釣糸掴持体の貫通孔を圧縮する。このようにして、釣糸掴持体が釣糸を掴み、釣糸の所定の位置に浮きが後付けされる。
【００１０】
発明２の浮きは、発明１の浮きであって、外殻体の収納部の長手方向一端側の内周面がナット部分となっており、釣糸掴持体の長手方向他端側の外周面がナット部分に螺着するボルト部分となっており、ナット部分はその開口より奥側ほど小径化するテーパが施されており、ボルト部分をナット部分に螺着してゆくことで釣糸掴持体が圧縮される。これらボルト部分及びナット部分が変圧手段である。
【００１１】
この浮きにおいても、釣糸掴持体のスリットと外殻部のスリットとを合わせて、このスリットに釣糸を差し込んで釣糸掴持体の貫通孔に釣糸を配置する。その後、ボルト部分をナット部分に螺合させてゆくと、そのテーパ変化に従ってナット部分を有する釣糸掴持体が圧縮されて締め付けられてゆく。このようにして、釣糸掴持体が釣糸を掴み、釣糸の所定の位置に浮きが後付けされる。
【００１２】
発明３の浮きは、発明１の浮きであって、外殻部は第１外殻部と第２外殻部との２体からなり、第１外殻部はその収納部の長手方向一端側の内周面がナット部分となっており、第２外殻部は長手方向他端側の外周面がナット部分に螺着するボルト部分となっている。そして、ナット部分はその開口より奥側ほど小径化するテーパが施されており、ボルト部分をナット部分に螺着してゆくことで第２外殻部が圧縮されて第２外殻部を介して収納部内の釣糸掴持体が圧縮される。これらボルト部分及びナット部分が変圧手段である。
【００１３】
この浮きにおいては、釣糸掴持体のスリットと第１外殻部，第２外殻部とのスリットとを合わせて、このスリットに釣糸を差し込んで釣糸掴持体の貫通孔に釣糸を配置する。その後、第２外殻部のボルト部分を第１外殻部のナット部に螺着させてゆくと、そのテーパ変化に従って第２外殻部が締め付けられ、その内部の収納部内の釣糸掴持体も圧縮され締め付けられる。そして、この釣糸掴持体がその内部の貫通孔内に配置される釣糸を掴み、釣糸の所定の位置に浮きが後付けされる。
【００１４】
発明４の浮きは、発明１の浮きであって、外殻部の収納部の径方向断面形状は楕円型であり、そのスリットは楕円型の短径方向に形成されている。一方、釣糸掴持体の径方向断面形状も楕円型であり、そのスリットも楕円型の短径方向に形成されている。そして、この釣糸掴持体を外殻部の収納部内で径方向平面において回転させることで釣糸掴持体の楕円型の長径が外殻部の楕円型の短径により圧縮される。これら外殻部の収納部及び釣糸掴持体の形状が前記変圧手段である。
【００１５】
この浮きにおいては、釣糸掴持体，外殻部のそれぞれの楕円型の長径と短径とが合致する状況において、それぞれのスリットが一致する。この状態では釣糸掴持体はフリーであり、このスリットへ外部から釣糸を差し込み、釣糸掴持体の貫通孔内に釣糸を配置する。その後、釣糸掴持体をその径方向平面において回転させると、釣糸掴持体の楕円型の長径方向が外殻部の楕円型の短径方向に当たり、釣糸掴持体が圧縮される。そして、この釣糸掴持体がその内部の貫通孔内に配置される釣糸を掴み、釣糸の所定の位置に浮きが後付けされる。
【００１６】
【発明の実施の形態】
［第１実施形態］
以下、本発明の第１実施形態について図面を参照しつつ説明する。
図１〜４に示すように、本発明の第１実施形態を採用した浮きは、第１外殻部１と第２外殻部２と、これら第１外殻部１及び第２外殻部２の内部に配置される釣糸掴持体３とから構成されている。
【００１７】
釣糸掴持体３は、図４に詳しく示すような略細棒型部材である。この釣糸掴持体３は例えばポリエステル系のエラストマー等の弾性体からなる。長手方向両端に比べて長手方向中央付近は太径化しており、この長手方向中央付近の側周面には周方向に１８０度変位して一対の突起４が長手方向に延びて形成されている。また、この釣糸掴持体３の径方向中央には長手方向に延びて貫通している貫通孔３ａが形成されると共に、この貫通孔３ａに至るスリット３ｂが長手方向に連続的に形成されている。この貫通孔３ａ及びスリット３ｂは後述のように釣糸Ｌが挟む込まれる部分である。
【００１８】
第１外殻部１は、図２に詳しく示すように、ＡＢＳ樹脂やポリカーボネイトなどの比較的硬質の合成樹脂からなる部材であって、その内部に収納部１ａを有する部材である。この第１外殻部１は略釣鐘型形状をなし、頭頂側から底面側への長手方向にかけて貫通する貫通部分があり、この貫通部分からなる中空が収納部１ａである。この収納部１ａは、頭頂側の端部が縊れた小径部分であり、底面側に向かって一段大径化した部分，さらにもう一段大径化した部分という階段構造となっている（図２参照）。この頭端側の縊れた小径部分とこれに隣接する大径化した部分が、上述の釣糸掴持体３の外形に対応しており、上述の縊れた小径部分が釣糸掴持体３の頭端側への抜け止めとなっている。一方、収納部１ａの底面側の大径化した部分の内周面にはねじ溝が形成されておりこの部分がナット部分である。なお、この収納部１ａのナット部分は底面側の開口より奥に（頭頂側に）至るに従って小径化するようなテーパが施される。さらに、この第１外殻部１には上述の収納部１ａに外部より連通するスリット１ｂが長手方向に連続的に延びている。
【００１９】
第２外殻部２は、図３に詳しく示すように、第１外殻部１と同様の外形状をなす部材である。上述の第１外殻部１に比べて比較的弾性を有するような素材で構成するのが好ましい。何故なら、後述のように、第２外殻部２は周方向に圧縮され収縮する必要があるからである。これら第１外殻部１と第２外殻部２とは底面側から組み合わされて１つの外殻を形成している。この第２外殻部２も長手方向に貫通する中空があり、これが収納部２ａとなっている。上述の第１外殻部１と同様に収納部２ａは頭頂側端部に縊れた小径部分を有する階段構造である。
【００２０】
この第２外殻部２の底面側の外周面は他の部分より一段小径化しておりその周面にねじ溝が加工されたボルト部分となっている。このボルト部分が上述の第１外殻部１のナット部分に螺合する。また、この第２外殻部２においても上述の第１外殻部１と同様に、収納部２ａに外部より連通するスリット２ｂが長手方向に連続的に延びている。なお、この収納部２ａの内周面には周方向に１８０度変位する位置にそれぞれ長手方向に延びる凹溝が加工されており、この凹溝が上述の釣糸掴持体３の突起４に対応する。そして、この凹溝に釣糸掴持体３の突起４を噛み合わせながら釣糸掴持体３を第２外殻部２の収納部２ａ内に収納すると、両者のスリット２ｂ，３ｂが周方向において一致するような位置関係になっている（図３，図４参照）。
【００２１】
次に、この浮きを釣糸Ｌに取り付ける手順を説明する。
当初の浮きは以下のような状態である。即ち、釣糸掴持体３は第２外殻部２の収納部２ａ内に突起４を凹溝に噛み合わせた状態で収納される。この状態で第２外殻部２のボルト部分が第１外殻部１のナット部分に螺合して両者が組み合わされている。
【００２２】
釣糸Ｌにこの浮きを取り付けるに当たっては、図５（ａ）に示すように、第１外殻部１と第２外殻部２とを相互に回転させて螺合程度を緩めながら、第１外殻部１，第２外殻部２のそれぞれのスリット１ｂ，２ｂ位置を合致させる。第２外殻部２と釣糸掴持体３のスリット２ｂ，３ｂの位置は上述のように予め一致しているので、全てのスリットが同一位置に揃うことになる。この状態で、当該揃ったスリット内に側面方向から釣糸Ｌをはめ込み、釣糸掴持体３の貫通孔３ａに釣糸Ｌを配置する。
【００２３】
その後、図５（ｂ）に示すように、第１外殻部１と第２外殻部２とを相互に回転させて螺合してゆくと、第１外殻部１のナットのテーパに従って第２外殻部２が径内方向に締め付けられ、釣糸掴持体３も同様に締め付けられて圧縮される。そして、釣糸掴持体３のスリット３ｂ（さらには第２外殻部２のスリット２ｂも）が閉じられ、釣糸掴持体３が釣糸Ｌを掴み、釣糸Ｌの任意の位置に浮きが取り付けられることになる。このようにして、仕掛けを予め作成した後であっても、釣糸Ｌを一々切断することなく、釣糸Ｌの任意の位置にこの浮きを容易に取り付けることができる。
【００２４】
なお、釣糸掴持体３の貫通孔３ａの径を釣糸Ｌより比較的大きな径として設定しておくことで、この浮きを釣糸Ｌに取り付けた後に、釣糸Ｌ上で浮きをスライド移動可能させ、その固定位置を調整することも可能である（いわゆる「遊動浮き」）。貫通孔３ａの径を釣糸Ｌの径とほぼ一致させておけば、浮きの釣糸Ｌ上での固定が強固になる（いわゆる「固定浮き」）。
【００２５】
参考までに、この浮きの具体的な使用態様に言及しておく。この浮きを構成する第１外殻部１〜釣糸掴持体３の比重は様々な値に設定した上で、用途に合わせて浮きを用いる。例えば、▲１▼１より小さい比重を設定して水面に浮かぶ浮きとする他に、▲２▼その比重を約１〜１よりやや大きい程度に設定して水中で漂う浮き（文言上矛盾するが）としてもよい。
【００２６】
水面に浮かぶように設定した場合（▲１▼の場合）、図６に示すように、通常の玉浮き２００よりさらに釣針側に必要に応じてこの「浮き」を取り付けて用いる。例えば、ハリスの長さよりタナが浅い場合に、この浮きを「後付け」してタナを探ることができる。
一方、水中に漂うように設定した場合（▲２▼の場合）、図７，８に示すように、通常の玉浮き２００よりさらに釣針側に必要に応じてこの「浮き」を取り付けて用いる。例えば、図７に示すように、水中の流れが速い場合には、水中で流される撒き餌と共に釣針を水中で流す必要がある。このような状況下において、必要に応じてこの「浮き」を取り付けることで、釣針を撒き餌と共に漂わせることが可能となるのである。さらに、図８に示すように、水面上での風向きと水中の流れとが異なる方向であるような場合にも、水中で流される撒き餌に釣針を追随させる必要が生じる。このような状況下において、必要に応じてこの「浮き」を取り付けるのである。
【００２７】
［第２実施形態］
本発明の第２実施形態として第１実施形態の変形例を説明する。
図９〜１１に示すように、本発明の第２実施形態を採用した浮きは、外殻部１１と、釣糸掴持体１２とから構成されている。
釣糸掴持体１２は、図１１に詳しく示すように、第１実施形態と同様の略細棒型部材である。例えばポリエステル系のエラストマー等の弾性体からなる。長手方向一端側は小径化した上でその外周面にねじ溝が形成されており、この部分がボルト部分となっている。また、この釣糸掴持体１２の径方向中央には長手方向に延びる貫通孔１２ａが形成されると共に、この貫通孔１２ａに至るスリット１２ｂが長手方向に連続的に形成されている。この貫通孔１２ａ及びスリット１２ｂは釣糸Ｌが挟む込まれる部分である。
【００２８】
外殻部１１は、図１０に詳しく示すように、ＡＢＳ樹脂やポリカーボネイトなどの比較的硬質の合成樹脂からなる部材であって、その内部に収納部１１ａを有している。第１実施形態と同様に長手方向にかけて収納部１１ａが貫通しているものである。この収納部１１ａは、長手方向の一端側が小径部分であり、他端側がより大径化した大径部分である。この大径化した部分の内周面にはねじ溝が形成されておりナット部分となっている。このナット部分に上述の釣糸掴持体１２のボルト部分が螺合することになる。なお、このナット部分も、上記第１実施形態と同様に、開口側より奥になるに従って小径化するテーパが施されている。また、この外殻部１１にも上述の収納部１１ａに外部より連通するスリット１１ｂが長手方向に連続的に延びている。
【００２９】
このような浮きも、第１実施形態と同様の方法で、釣糸Ｌに容易に取り付けることが可能である。即ち、釣糸Ｌにこの浮きを取り付けるに当たっては、外殻部１１と釣糸掴持部１２とを相互に回転させて螺合程度を緩めながら、外殻部１１と釣糸掴持部１２のそれぞれのスリット１１ｂ，１２ｂ位置を合致させる。この状態で、当該揃ったスリット内に側面方向から釣糸Ｌをはめ込み、釣糸掴持体１２の貫通孔１２ａに釣糸Ｌを配置する。
【００３０】
その後、外殻部１１のナット部に釣糸掴持体１２のボルトを螺合させてゆくと、外殻部１１のナットのテーパに従って釣糸掴持体１２が径内方向に締め付けられて圧縮される。そして、釣糸掴持体１２のスリット１２ｂが閉じられ、釣糸掴持体１２が釣糸Ｌを掴み、釣糸Ｌの任意の位置に浮きが取り付けられる。
［第３実施形態］
以下、本発明の第３実施形態について、図面を参照しつつ説明する。
【００３１】
本発明の第３実施形態を採用した浮きは、図１２〜１４に示すように、外殻部２１と、釣糸掴持体２２と、キャップ２３とからなる。
外殻部２１は、図１３に詳しく示すように、ＡＢＳ樹脂やポリカーボネイトなどの比較的硬質の合成樹脂からなるパイプ型部材である。そしてその長手方向に内収納部が貫通している。この外殻部２１の外形における断面形状円形であるが、収納部の断面形状は楕円型である。この収納部の楕円型の短径方向において外部から収納部に至るスリット２１ｂが形成されている。このスリット２１ｂは長手方向に連続的に形成されている。
【００３２】
釣糸掴持体２２は、図１２に詳しく示すように、長手方向一端側に位置する太径の頭端部分とこれに連続する柱状部分とを有している。柱状部分の長手方向他端側端縁には係止フランジが形成されており、この係止フランジにキャップ２３が係止される。また、釣糸掴持体２２にはその長手方向に貫通する貫通孔が形成されている。
【００３３】
この釣糸掴持体２２の柱部部分の外形は上述の外殻部２１の収納部の形状に合致して楕円型となっている。柱状部分の楕円型の長辺方向には一対の突起２２ａが長手方向に連続的に設けられるとともに、楕円型の短辺方向にはスリット２２ｂが形成される。また、キャップ２３に関しても、釣糸掴持体２２に対応する貫通孔やスリットが形成されている。
【００３４】
この釣糸掴持体２２は、図１３に示すように、その柱状部分を外殻部２１の収納部に相互の楕円型を合致させた状態で挿入した上で、キャップ２３を柱状部分に係止する。この状態で、釣糸掴持体２２のスリット２２ｂと外殻体２１のスリット２１ｂとは径方向において一致することになる。
このような浮きは、以下のようにして、釣糸Ｌに容易に取り付けることが可能である。
【００３５】
まず、図１３に示すような状態、即ち、外殻体２１の収納部の楕円型と釣糸掴持体２２の楕円型とが合致している（スリット２２ｂと外殻体２１のスリット２１ｂとは径方向において一致している）状態において、スリットから釣糸Ｌをはめ込み、釣糸掴持体２２の貫通孔に釣糸Ｌを配置する。
次に、釣糸掴持体２２及びキャップ２３を周方向に凡そ９０度回転させて、図１４に示すように、その楕円型の長径方向を外殻体２１の短径方向に合わせる。この状態では、釣糸掴持体２２の突起２２ａが外殻体２１のスリット２１ｂにはまって位置決めされる。このように釣糸掴持体２２の長辺方向を外殻体２１の短辺方向に合わせると、釣糸掴持体２２が外殻体２１によって圧縮される。そして、この圧縮される釣糸掴持体２２がその内部の貫通孔内に配置される釣糸Ｌを掴み、釣糸Ｌの所定の位置に浮きが容易に取り付けることができる。
【００３６】
【発明の効果】
本発明にかかる浮きは、釣糸を一々切断することなく、仕掛けを作った後に必要に応じて釣糸の任意の箇所に容易に「後付け」できる。
【図面の簡単な説明】
【図１】本発明の第１実施形態を採用した浮きの全体図。
【図２】図１の第１外殻部１を示した図。
【図３】図１の第２外殻部２を示した図。
【図４】図１の釣糸掴持体３を示した図。
【図５】図１の浮きの釣糸Ｌへの取り付け手順を示した図。
【図６】図１の浮きの使用態様の一例を示した図。
【図７】図１の浮きの使用態様の一例を示した図。
【図８】図１の浮きの使用態様の一例を示した図。
【図９】本発明の第２実施形態を採用した浮きの全体図。
【図１０】図９の外殻部１１を示した図。
【図１１】図９の釣糸掴持体１２を示した図。
【図１２】本発明の第３実施形態を採用した浮きの釣糸掴持体２２とキャップ２３とを示した図。
【図１３】本発明の第３実施形態を採用した浮きの外殻部２１を示した図。
【図１４】本発明の第３実施形態を採用した浮きの釣糸への取り付け状態を示す参考図。
【図１５】従来の後付けタイプの浮きを示した図。
【符号の説明】
１　第１外殻部
２　第２外殻部
３，１２，２２　釣糸掴持部
１１，２１　外殻部
２３　キャップ
Ｌ　釣糸
【図１】
2004033058.tif 000003
【図２】
2004033058.tif 000004
【図３】
2004033058.tif 000005
【図４】
2004033058.tif 000006
【図５】
2004033058.tif 000007
【図６】
2004033058.tif 000008
【図７】
2004033058.tif 000009
【図８】
2004033058.tif 000010
【図９】
2004033058.tif 000011
【図１０】
2004033058.tif 000012
【図１１】
2004033058.tif 000013
【図１２】
2004033058.tif 000014
【図１３】
2004033058.tif 000015
【図１４】
2004033058.tif 000016
【図１５】
2004033058.tif 000017